【手続補正書】
【提出日】令和3年11月15日(2021.11.15)
【手続補正１】
【補正対象書類名】特許請求の範囲
【補正対象項目名】全文
【補正方法】変更
【補正の内容】
【特許請求の範囲】
【請求項１】
１つ以上の照明デバイスを含む環境において等価メラノピックルクス（ＥＭＬ）への占有者の曝露を決定する方法であって、当該方法は、
１つ以上の情報源からの光レベル情報にアクセスし、これに基づいて、前記環境のどこに少なくとも所定のＥＭＬレベルが存在するかを決定するステップと、
前記環境内で占有者を追跡するために追跡システムを使用するステップと、
前記アクセス及び前記追跡に基づいて、前記占有者が少なくとも最小のＥＭＬクォータに曝されているかどうかを監視するステップであって、前記最小のＥＭＬクォータは、前記占有者が少なくとも所定の時間制約について少なくとも前記所定のＥＭＬレベルに曝されることを含む、ステップと、
を含み、
前記照明デバイスは、人工照明で前記環境を照らす１つ以上の照明器具を含み、
前記１つ以上の情報源は、データベースを含み、前記光レベル情報は、前記環境におけるＥＭＬを示す光レベル値をマッピングする前記データベースからのデータを含み、前記光レベル値は、事前に計算又は事前に測定され、設置フェーズ又はコミッショニングフェーズ中に前記１つ以上の照明器具の事前に実行された較正中に得られ、前記決定は、前記光レベル値に少なくとも部分的に基づく、方法。
【請求項２】
前記環境は、１つ以上の屋外空間を含み、及び／又は、前記環境は、１つ以上の屋内空間を含み、前記照明デバイスは、１つ以上のウインドウトリートメントを含み、前記光レベル情報は、自然光に関する動的情報を含み、前記決定は、自然光に関する前記情報に少なくとも部分的に基づく、請求項１に記載の方法。
【請求項３】
前記１つ以上の情報源は、現在の昼光状態に関するレポートを提供する通信ネットワークを含み、前記決定は、前記レポートに少なくとも部分的に基づく、請求項２に記載の方法。
【請求項４】
前記１つ以上の情報源は、光センサのネットワークを含み、各センサは、前記環境内の異なるそれぞれの水平位置で光レベル情報を測定するように構成され、前記決定は、測定された前記光レベル情報に基づく、請求項１乃至３のいずれか一項に記載の方法。
【請求項５】
前記アクセス及び前記追跡と組み合わせてタイマを使用して、前記占有者が所定のＥＭＬクォータに曝されることになるかどうかを予測し、そう予測されない場合、
前記占有者が占有している又は後で占有すると予測される前記環境の少なくとも１つの領域においてＥＭＬレベルを増加させるために照明を自動的に制御する、及び／又は
前記占有者が前記追跡に基づいて現在存在しないと決定される前記環境の少なくとも１つの領域において前記所定のＥＭＬレベルを満たさないように、又は前記占有者が前記最小のＥＭＬクォータに既に曝されている若しくは前記占有者が前記最小のＥＭＬクォータより多く曝されることになると予測された後、少なくとも一部の照明の強度及び／又は色温度を自動的に低下させる、又は少なくとも一部の照明をオフにする、
ことを行うことを含む、請求項１乃至４のいずれか一項に記載の方法。
【請求項６】
前記アクセス及び前記追跡に基づいて、ユーザインターフェースを介して前記占有者又は他のユーザに、
前記占有者は前記最小のＥＭＬクォータに既に曝されているかどうか、
前記占有者は前記最小のＥＭＬクォータに曝されることになると予測されるかどうか、及び／又は
前記占有者の現在のＥＭＬ曝露の継続的指標、
を自動的に通知することを含む、請求項１乃至５のいずれか一項に記載の方法。
【請求項７】
前記所定のＥＭＬレベルは、床から少なくとも１つの所定の高さにおけるＥＭＬである、請求項１乃至６のいずれか一項に記載の方法。
【請求項８】
前記所定の高さは、
１．２ｍ〜１．７ｍの間、
１．２ｍ、又は
１．５ｍ
のうちの一つである、請求項７に記載の方法。
【請求項９】
前記所定のＥＭＬレベルは、１２５ＥＭＬ以上である、請求項１乃至８のいずれか一項に記載の方法。
【請求項１０】
前記所定の時間制約は、前記占有者が、１日、勤務日、１日のうちの日中の時間、又は午前９時から午後１時までの午前のうちの所定の時間ウインドウ内の最小期間前記所定のＥＭＬレベルに曝されるという要件を少なくとも含み、前記時間制約は、毎日リセットされる、請求項１乃至９のいずれか一項に記載の方法。
【請求項１１】
前記所定の時間制約は、前記占有者が、午前９時から午後１時までの間の少なくとも３時間少なくとも前記所定のＥＭＬレベルに曝されることである、又は
前記所定の時間制約は、前記占有者が、少なくとも日中の４時間であって、その少なくとも２時間は午前８時から午前１１時までの間少なくとも前記最小のＥＭＬレベルに曝されることである、請求項１乃至１０のいずれか一項に記載の方法。
【請求項１２】
１つ以上の照明デバイスを含む環境において等価メラノピックルクス（ＥＭＬ）への占有者の曝露を決定するための制御装置であって、前記照明デバイスは、人工照明で前記環境を照らす１つ以上の照明器具を含み、当該制御装置は、
前記環境についての光レベル情報にアクセスするための１つ以上の情報源に当該制御装置を動作可能に結合するための手段であって、１つ以上の情報源は、データベースを含み、前記光レベル情報は、前記環境におけるＥＭＬを示す光レベル値をマッピングする前記データベースからのデータを含み、前記光レベル値は、事前に計算又は事前に測定され、設置フェーズ又はコミッショニングフェーズ中に前記１つ以上の照明器具の事前に実行された較正中に得られ、前記決定は、前記光レベル値に少なくとも部分的に基づく、手段と、
前記環境内で占有者の位置を追跡するための追跡システムに当該制御装置を動作可能に結合するための手段と、
を備え、
当該制御装置は、アクセスされた前記光レベル情報及び追跡された前記位置に基づいて、前記占有者が少なくとも最小のＥＭＬクォータに曝されているかどうかを監視するように構成され、前記最小のＥＭＬクォータは、前記占有者が少なくとも所定の時間制約について少なくとも所定のＥＭＬレベルに曝されると定義される、制御装置。
【請求項１３】
環境において等価メラノピックルクス（ＥＭＬ）への占有者の曝露を決定するためのシステムであって、当該システムは、
前記環境を照らすための１つ以上の照明デバイスと、
前記環境についての光レベル情報にアクセスするための１つ以上の情報源と、
前記環境内で占有者の位置を追跡するための追跡システムと、
請求項１２に記載の制御装置であって、アクセスされた前記光レベル情報及び追跡された前記位置と組み合わせてタイマを使用して、前記占有者が所定のＥＭＬクォータに曝されることになるかどうかを予測し、そう予測されない場合、
前記占有者が占有している又は後で占有すると予測される前記環境の少なくとも１つの領域においてＥＭＬレベルを増加させるために照明を自動的に制御する、及び／又は
前記占有者が前記追跡に基づいて現在存在しないと決定される前記環境の少なくとも１つの領域において前記所定のＥＭＬレベルを満たさないように、又は前記占有者が前記最小のＥＭＬクォータに既に曝されている若しくは前記占有者が前記最小のＥＭＬクォータより多く曝されることになると予測された後、少なくとも一部の照明の強度及び／又は色温度を自動的に低下させる、又は少なくとも一部の照明をオフにする、
ことを行うように構成される、制御装置と、
を含む、システム。
【請求項１４】
前記１つ以上の情報源は、前記環境におけるＥＭＬを示す光レベル値をマッピングする光レベル情報を含むデータベースであって、前記光レベル値は、事前に計算又は事前に測定され、設置フェーズ又はコミッショニングフェーズ中に前記１つ以上の照明器具の事前に実行された較正中に得られる、データベース、及び／又は各センサが前記環境内の異なるそれぞれの水平位置で光レベル情報を測定するように構成される、光センサのネットワークを含む、請求項１３に記載のシステム。